(57)【要約】【課題】本発明は、光学性能をなるべく低下させることなく必要に応じてユーザの視野を少なくともユーザに不快感が与えられない程度に開放することのできる情報表示装置を提供する。【解決手段】表示素子を支持し、ユーザの側頭部又は頭頂部近傍に配置される第１部材（１６Ａ）と、前記表示素子から前記ユーザの眼に至る表示光束の光路に対し直列に配置される複数の反射面を支持し、そのユーザの眼前に少なくとも一部が配置される第２部材（１６Ｂ）と、前記第１部材と前記第２部材とを前記ユーザに対し装着する装着手段と、前記第１部材の配置位置を保ちつつ前記第２部材の全部を前記眼前から退避させるための退避機構（１７）とを備えたことを特徴とする。【選択図】      図３
2005192083.tif 000002
【特許請求の範囲】
【請求項１】
表示素子を支持し、ユーザの側頭部又は頭頂部近傍に配置される第１部材と、
前記表示素子から前記ユーザの眼に至る表示光束の光路に対し直列に配置されるべき複数の反射面を支持し、そのユーザの眼前に少なくとも１部が配置される第２部材と、
前記第１部材と前記第２部材とを前記ユーザに対し装着する装着手段と、
前記第１部材の配置位置を保ちつつ前記第２部材の全部を前記眼前から退避させるための退避機構と
を備えたことを特徴とする情報表示装置。
【請求項２】
請求項１に記載の情報表示装置において、
前記退避機構は、
前記第１部材に対し前記第２部材を回動自在に連結する回動機構からなり、
前記装着手段は、
前記第１部材を介して前記第２部材を前記ユーザに対し装着する
ことを特徴とする情報表示装置。
【請求項３】
請求項１又は請求項２に記載の情報表示装置において、
前記第２部材は、
前記反射面を収容した筐体からなり、
前記筐体の前記第１部材側には、
前記表示光束を通過させる開口部と、その開口部を被覆し前記表示光束に対し透明な封止用の窓材とが設けられる
ことを特徴とする情報表示装置。
【請求項４】
請求項１又は請求項２に記載の情報表示装置において、
前記第２部材は、
表面及び／又は内部に前記反射面を設け、かつ前記表示光束に対し透明な基板からなる
ことを特徴とする情報表示装置。
【請求項５】
請求項１〜請求項４の何れか一項に記載の情報表示装置において、
前記第１部材は、
前記表示素子を収容した筐体からなり、
前記筐体の前記第２部材側には、
前記表示光束を通過させる開口部と、その開口部を被覆し前記表示光束に対し透明な封止用の窓材とが設けられる
ことを特徴とする情報表示装置。
【発明の詳細な説明】
【技術分野】
【０００１】
本発明は、ニアアイディスプレイなどのウエアラブルな情報表示装置に関する。
【背景技術】
【０００２】
ニアアイディスプレイ（特許文献１，２など）は、ユーザの頭部に装着され、その状態でユーザの一方の眼前に画像表示用の光学系を配置する。このニアアイディスプレイを装着していれば、ユーザはあらゆる場所で画像を観察することができる。
【特許文献１】特開平８−３０５２９８号公報
【特許文献２】特開２００１−２６４６８２号公報（図１４）
【発明の開示】
【発明が解決しようとする課題】
【０００３】
しかし、このニアアイディスプレイを装着したユーザは、外界（ニアアイディスプレイより外側の様子）を観察し難い。なお、特許文献２に記載のニアアイディスプレイはシースルー型なので、特許文献１のニアアイディスプレイと比較すると観察し易いものの、非装着時と比較すると観察し難い。
このため、ユーザの周囲で物体が動いたときなどは、危険回避のため、ユーザが視野（ここでは、ユーザが前方を目視しているときの視野とする。）を一時的に開放したいと望むことがある。よって、ニアアイディスプレイにそのための機構を搭載することが望まれる。
【０００４】
但し、ニアアイディスプレイは光学機器なので、機構部分があるとがたつきが生じ、理想的な位置で光学像（画像）を観察できない場合が生じ、光学機器としての性能（光学性能）が損なわれる虞がある。
そこで本発明は、光学性能をなるべく低下させることなく必要に応じてユーザの視野を少なくともユーザに不快感が与えられない程度に開放することのできる情報表示装置を提供することを目的とする。
【課題を解決するための手段】
【０００５】
請求項１に記載の情報表示装置は、表示素子を支持し、ユーザの側頭部又は頭頂部近傍に配置される第１部材と、前記表示素子から前記ユーザの眼に至る表示光束の光路に対し直列に配置されるべき複数の反射面を支持し、そのユーザの眼前に少なくとも１部が配置される第２部材と、前記第１部材と前記第２部材とを前記ユーザに対し装着する装着手段と、前記第１部材の配置位置を保ちつつ前記第２部材の全部を前記眼前から退避させるための退避機構とを備えたことを特徴とする。
【０００６】
請求項２に記載の情報表示装置は、請求項１に記載の情報表示装置において、前記退避機構は、前記第１部材に対し前記第２部材を回動自在に連結する回動機構からなり、前記装着手段は、前記第１部材を介して前記第２部材を前記ユーザに対し装着することを特徴とする。
請求項３に記載の情報表示装置は、請求項１又は請求項２に記載の情報表示装置において、前記第２部材は、前記反射面を収容した筐体からなり、前記筐体の前記第１部材側には、前記表示光束を通過させる開口部と、その開口部を被覆し前記表示光束に対し透明な封止用の窓材とが設けられることを特徴とする。
【０００７】
請求項４に記載の情報表示装置は、請求項１又は請求項２に記載の情報表示装置において、前記第２部材は、表面及び／又は内部に前記反射面を設け、かつ前記表示光束に対し透明な基板からなることを特徴とする。
請求項５に記載の情報表示装置は、請求項１〜請求項４の何れか一項に記載の情報表示装置において、前記第１部材は、前記表示素子を収容した筐体からなり、前記筐体の前記第２部材側には、前記表示光束を通過させる開口部と、その開口部を被覆し前記表示光束に対し透明な封止用の窓材とが設けられることを特徴とする。
【発明の効果】
【０００８】
本発明によれば、光学性能をなるべく低下させることなく必要に応じてユーザの視野を少なくともユーザに不快感が与えられない程度に開放することのできる情報表示装置が実現する。
【発明を実施するための最良の形態】
【０００９】
以下、図面を参照して本発明の実施形態について説明する。
［第１実施形態］
以下、図１、図２、図３、図４、図５を参照して本発明の第１実施形態について説明する。
本実施形態は、ニアアイディスプレイの実施形態である。
【００１０】
先ず、ニアアイディスプレイの全体の構成について説明する。
このニアアイディスプレイには、図１に示すように、ヘッドホン１１Ｒ，１１Ｌ、リアアーム１２、サイドアーム１３、コントロールユニット１４、ディスプレイ部１６などが備えられる。なお、ヘッドホン１１Ｒ，１１Ｌ、リアアーム１２、サイドアーム１３などが請求項における装着手段に対応し、ディスプレイ部１６が請求項における第１部材及び第２部材に対応する。
【００１１】
リアアーム１２は、ユーザＵの頭部より若干広い曲率半径の円弧状をしており、サイドアーム１３は、柱状をしている。
ヘッドホン１１Ｒ，１１Ｌは、リアアーム１２の両端にそれぞれ取り付けられる。ヘッドホン１１Ｒには、ユーザＵの右耳に装着するための装着部材１１Ｒ’が、ヘッドホン１１Ｌには、ユーザＵの左耳に装着するための装着部材１１Ｌ’がそれぞれ取り付けられている。
【００１２】
ディスプレイ部１６は、Ｌ字に配置された２つの筐体（詳細は後述）からなり、その一端がサイドアーム１３の一端に取り付けられる。サイドアーム１３の他端は、コントロールユニット１４を介してリアアーム１２の一端に連結されている。
ヘッドホン１１Ｒ，１１Ｌがそれぞれ装着部材１１Ｒ’，１１Ｌ’を介してユーザＵの右耳及び左耳に装着されると、ディスプレイ部１６の一部がユーザＵの一方の眼ＥＬ（図１では左眼）の前に位置する。
【００１３】
この一方の眼ＥＬが虚像（後述）を目視する眼であり、他方の眼ＥＲが外界を目視する眼である。以下、眼ＥＬを「観察眼」といい、この状態を「観察状態」という。
コントロールユニット１４の内部には、サイドアーム１３を収容することのできるサイズの筒状の収容室が形成されており、サイドアーム１３の一部又は全部は、コントロールユニット１４の内部に収容可能である。
【００１４】
コントロールユニット１４の収容室とサイドアーム１３との間には、外力に応じて適当な大きさの摩擦力が働き、ユーザＵが意識的に外力を与えない限り両者は固定される（つまり、両者がストッパーの役割も果たす。）。
よって、コントロールユニット１４からのサイドアーム１３の繰り出し量、すなわちディスプレイ部１６と観察眼ＥＬとの間隔は、ユーザＵによって調整自在である。
【００１５】
なお、コントロールユニット１４の外壁には、ニアアイディスプレイにユーザＵが指示を入力するための操作釦１４ｓが設けられる。
次に、ディスプレイ部１６の内部構成について説明する。
ディスプレイ部１６内には、図２に示すように、サイドアーム１３に近い側から観察眼ＥＬの直前にかけて、表示素子１６Ａ１，レンズ１６Ａ２，ミラー１６Ｂ１，ミラー１６Ｂ２が直列に配置される。
【００１６】
このうち、表示素子１６Ａ１，レンズ１６Ａ２は、筐体であるサイドユニット（請求項における第１部材に対応。）１６Ａに収容され、その内部に固定され、ミラー１６Ｂ１，１６Ｂ２は、筐体であるフロントユニット（請求項における第２部材に対応。）１６Ｂに収容され、その内部に固定される。
これらサイドユニット１６Ａ及びフロントユニット１６Ｂは、Ｌ字状に連結される。このうち、フロントユニット１６Ｂが、ユーザＵの視野に掛かる位置に配置され、サイドユニット１６Ａは、ユーザＵの側頭部の近傍でユーザＵの視野に入ってもユーザＵに不快感を与えない位置に配置される。もちろん、サイドユニット１６Ａは、ユーザＵの視野に掛からない位置に配置されることが最も望ましい。
【００１７】
表示素子１６Ａ１の表示画面Ｉは、ユーザＵの前方を向いている。表示画面ＩからユーザＵの前方に射出した表示光束は、レンズ１６Ａ２を介してミラー１６Ｂ１に入射し、ユーザＵの右方に偏向する（９０°偏向する。）。ミラー１６Ｂ１を射出した表示光束は、ユーザＵの右方に進行した後、ミラー１６Ｂ２に入射し、ユーザＵの後方に偏向する（９０°偏向する。）。ミラー１６Ｂ２を射出した表示光束は、観察眼ＥＬに入射する。
【００１８】
なお、サイドユニット１６Ａのフロントユニット１６Ｂの側の面において、表示光束を通過させるべき領域には開口部が設けられている。その開口部は、窓材１８で封止されている。
フロントユニット１６Ｂのサイドユニット１６Ａの側の面において、表示光束を通過させるべき領域には、開口部が設けられている。その開口部は、窓材１８で封止されている。
【００１９】
フロントユニット１６Ｂの観察眼ＥＬの側の面において、表示光束を通過させるべき領域には、開口部が設けられている。その開口部は、窓材１８で封止されている。
窓材１８は、表示素子１６Ａ１から射出する表示光束に対し透明な材料からなる。好ましくは、その表示光束に対し影響の少ない材料からなる。
また、ディスプレイ部１６は、不図示の接続線を介してコントロールユニット１４と電気的に接続されている。表示素子１６Ａは、コントロールユニット１４から入力される信号によって駆動される。コントロールユニット１４は、操作釦１４ｓ（図１参照）を介してユーザＵから入力された指示に従って動作する。
【００２０】
次に、ニアアイディスプレイの基本動作について説明する。
操作釦１４ｓを介してユーザＵから指示が入力されると、ニアアイディスプレイの動作が開始される。
コントロールユニット１４には、ＤＶＤプレーヤなどの外部機器から映像信号が入力される。映像信号は、コントロールユニット１４を介してディスプレイ部１６内の表示素子１６Ａ１に入力される。これによって、表示素子１６Ａ１の表示画面Ｉには映像が表示される。
【００２１】
表示画面Ｉから射出した表示光束は、その射出光束に対し直列に配置されたレンズ１６Ａ２，ミラー１６Ｂ１，ミラー１６Ｂ２を介してユーザＵの観察眼ＥＬに入射する。レンズ１６Ａ２は、表示画面Ｉから射出した表示光束を平行光束に近づける。よって、観察眼ＥＬの前方に、表示画面Ｉの虚像が呈示される。
次に、ディスプレイ部１６の構造について説明する。
【００２２】
図３に示すように、サイドアーム１３に直接固定されるのは、サイドユニット１６Ａである。フロントユニット１６Ｂは、サイドユニット１６Ａに対し回動機構（請求項における退避機構に対応。）１７を介して連結される。
回動機構１７は、一方のユニット（フロントユニット１６Ｂ）の側に固定された軸部１７Ｂと、他方のユニット（サイドユニット１６Ａ）の側に固定され、かつその軸部１７Ｂに嵌合して一方のユニット（フロントユニット１６Ｂ）を支持する支持部１７Ａとからなる。
【００２３】
回動機構１７の回動軸の方向は、図３（ａ），（ｂ）に一点鎖線で示すように鉛直方向である。回動機構１７の回動軸の位置は、フロントユニット１６Ｂの左端部より外側、かつフロントユニット１６Ｂの前端部より外側、かつフロントユニット１６Ｂになるべく近い位置である。また、回動機構１７の最大回動角度は、２７０°である（ここでは、ユーザＵを基準とした左、右、前、後を、単に「左」，「右」，「前」，「後」とする。）。
【００２４】
よって、フロントユニット１６Ｂは、図３（ａ）に示す観察状態から図３（ｂ）に示す状態まで回動軸の周りを回動可能である。
図３（ｂ）に示す状態のフロントユニット１６Ｂは、ユーザＵの視野を妨げる位置から、ユーザＵに不快感が与えられない程度にユーザＵの視野が確保される位置に退避している。以下、この状態を「退避状態」という。なお、最も望ましい退避状態は、フロントユニット１６ＢがユーザＵの視野に掛からない位置に配置された状態である。
【００２５】
また、軸部１７Ｂと支持部１７Ａとの間には、外力に応じて適当な大きさの摩擦力が働き、ユーザＵが意識的に外力を与えない限り両者は固定される（つまり、両者が回動機構１７のストッパーの役割も果たす。）。
よって、フロントユニット１６Ｂの回動角度は、ユーザＵによって調整自在である。
退避状態におけるニアアイディスプレイの外観図は、図４に示すとおりである。
【００２６】
退避状態から、さらに、図４矢印の方向にサイドアーム１３の繰り出し量を短縮させると、図５に示すとおり、ディスプレイ部１６をコントロールユニット１４と共にユーザＵの左耳近傍の小さな空間に収めることができる。
次に、ニアアイディスプレイの効果について説明する。
ディスプレイ部１６は、図１に示す観察状態において、ユーザＵの視野外に配置されるサイドユニット１６Ａと、ユーザＵの視野に掛かる位置に配置されるフロントユニット１６Ｂとに分離される。そして、サイドユニット１６Ａとフロントユニット１６Ｂとの間に図３に示すとおり回動機構１７が設けられる。したがって、ユーザＵは、サイドユニット１６Ａの配置位置を保ちつつニアアイディスプレイを図４に示す退避状態にすることができる。
【００２７】
また、その退避時に移動する部分は、複数の反射面（ここでは、２枚のミラー１６Ｂ１，１６Ｂ２）を収容した比較的大きいフロントユニット１６Ｂの全体なので、退避状態におけるユーザＵの視野は、少なくともユーザＵに不快感が与えられない程度に開放される。
また、退避時に何ら移動しない部分であるサイドユニット１６Ａに収容されるのは、図２に示すとおり表示素子１６Ａ１，レンズ１６Ａ２であり、退避時に移動する部分であるフロントユニット１６Ｂに収容されるのは、複数枚の反射面（ここでは、２枚のミラー１６Ｂ１，１６Ｂ２）のみである。つまり、退避時に比較的重量のある表示素子１６Ａ１は移動せず、比較的軽量なミラー１６Ｂ１，１６Ｂ２のみが移動する。
【００２８】
このように移動する部分（ここでは、フロントユニット１６Ｂ）の重量が抑えられれば、ニアアイディスプレイにがたつきが生じ難く、光学系（ここでは、表示素子１６Ａ１，レンズ１６Ａ２，ミラー１６Ｂ１，１６Ｂ２）の性能、つまりニアアイディスプレイの光学性能は、損なわれ難い。
したがって、光学性能をなるべく低下させることなく必要に応じてユーザＵの視野を少なくともユーザＵに不快感が与えられない程度に開放することができる。
【００２９】
また、退避機構として回動機構１７が用いられ、かつその回動軸がフロントユニット１６Ｂになるべく近い位置に配置されるので、退避時に必要なフロントユニット１６Ｂの移動量は最小限に抑えられる。
また、サイドユニット１６Ａ，フロントユニット１６Ｂのうち表示光束を通過させるべき開口部は、窓材１８で封止されているので、退避中に表示光束の光路に対し埃やゴミの混入する虞は無い。したがって、ニアアイディスプレイの光学性能は、確実に保たれる。
【００３０】
［第１実施形態の変形例］
図６に示すように、ディスプレイ部１６は、ユーザＵの頭頂部から観察眼ＥＬにかけてＬ字を描く姿勢で装着されてもよい。
この場合、少なくともユーザＵに不快感が与えられない程度にユーザＵの視野が確保されるよう、ディスプレイ部１６が前方から上方の方向に退避させるべく（図６中矢印の方向）、回動機構１７の回動軸の方向を水平方向にするとよい。
【００３１】
また、ディスプレイ部１６内のレンズ１６Ａ２は、フロントユニット１６Ｂの側（例えば、ミラー１６Ｂ２の射出側）に配置されてもよい。但し、レンズ１６Ａ２は、サイドユニット１６Ａの側に配置されていた方が、移動する部分（ここでは、フロントユニット１６Ｂ）の重量を抑えることができるので、好ましい。
また、図７に示すように、フロントユニット１６Ｂに鼻当て２０を設けてもよい。観察状態において、鼻当て２０はユーザＵの鼻に当節する。
【００３２】
鼻当て２０が設けられていれば、観察状態におけるフロントユニット１６Ｂの姿勢を安定させることができるので、ニアアイディスプレイの光学系（ここでは、表示素子１６Ａ１，レンズ１６Ａ２，ミラー１６Ｂ１，１６Ｂ２）の光軸と観察眼ＥＬの視軸との位置合わせを安定させることができる。このようにすれば、ニアアイディスプレイが理想的な位置に近い位置に確実に保たれる。
【００３３】
なお、鼻当ては、図６に示すニアアイディスプレイに設けられてもよい。
また、図８（ａ）に示すように、ニアアイディスプレイをシースルー型に変形してもよい。
シースルー型のニアアイディスプレイは、ディスプレイ部として、サイドユニット３０Ａと透明基板（請求項の第２部材に対応。）３０Ｂとを備える。
【００３４】
サイドユニット３０Ａと透明基板３０Ｂとは、眼鏡フレームタイプの装着手段３０Ｃを介してユーザに装着される。観察状態において透明基板３０Ｂは、図８（ａ）に示すように観察眼ＥＬの直前に配置される。
サイドユニット３０Ａは、表示素子を収容した筐体であり、透明基板３０Ｂに対し左後方から右前方の方向に表示光束を入射させる。
【００３５】
透明基板３０Ｂは、少なくとも、表示光束と、外界から観察眼ＥＬに向かう光束とに対し透明である。
透明基板３０Ｂに入射した表示光束は、透明基板３０Ｂの外界側の面とユーザ側の面とを交互に反射しながら透明基板３０Ｂの内部を左方から右方に進行する。よって、透明基板３０Ｂは、表示光束の光路を狭い空間に収める役割を果たす。透明基板３０Ｂの外界側の面とユーザ側の面とが、請求項における反射面に対応する。
【００３６】
透明基板３０Ｂの内部において、観察眼ＥＬに対向する位置には、反射面３０Ｂ１が形成されている。反射面３０Ｂ１は、左前方から右後方の方向に傾斜している。
反射面３０Ｂ１は、透明基板３０Ｂの内部を進行した表示光束を観察眼ＥＬの方向に偏向する。この反射面３０Ｂ１は、半透過の反射面や、反射型ホログラム面などからなる。
外界から観察眼ＥＬに向かう光束と表示光束とは反射面３０Ｂ１において重畳され、共に観察眼ＥＬに入射する。
【００３７】
透明基板３０Ｂは、装着手段３０Ｃに対し回動機構３７を介して連結される。
回動機構３７の回動軸の方向は、図８（ａ）に一点鎖線で示すように鉛直方向である。回動機構３７の回動軸の位置は、透明基板３０Ｂの左端部より外側、かつ透明基板３０Ｂの前端部より外側、かつ透明基板３０Ｂになるべく近い位置である。また、回動機構３７の最大回動角度は、２７０°である。
【００３８】
この回動機構３７によって、透明基板３０Ｂは、図８（ａ）に示す観察状態から図８（ｂ）に示す退避状態まで回動軸の周りを回動可能である。退避状態では、ユーザの視野は開放される。
また、サイドユニット３０Ａの透明基板３０Ｂ側の面において、表示光束を通過させるべき領域には、開口部が設けられ、その開口部は、窓材１８で封止されている（図８（ｂ）参照）。
【００３９】
また、回動機構３７は、ユーザが意識的に外力を与えない限り、透明基板３０Ｂと装着手段３０Ｃとを固定する（つまり、回動機構３７はストッパーの役割も果たす。）。
よって、透明基板３０Ｂの回動角度は、ユーザによって調整自在である。
このシースルー型のニアアイディスプレイによれば、第１実施形態と同様の効果が得られる。
【００４０】
さらに、このシースルー型のニアアイディスプレイにおいて退避時に移動する部分（ここでは、透明基板３０Ｂ）は、第１実施形態において退避時に移動する部分（フロントユニット１６Ｂ）よりも薄型・軽量化可能なので、光学性能は、さらに確実に保たれる。
なお、透明基板３０Ｂを前方から上方の方向に退避できるよう、シースルー型のニアアイディスプレイの回動機構３７の回動軸の方向を水平方向にしてもよい。
【００４１】
また、第１実施形態のニアアイディスプレイの回動機構１７、又はシースルー型のニアアイディスプレイの回動機構３７を電動化してもよい（すなわち、モータによって駆動されるよう構成してもよい。）。その場合、モータは、操作釦などから入力されたユーザＵの指示に従って駆動される。また、モータの制御によって回動機構１７又は回動機構３７の動きを自在に停止させることができるので、ストッパーは非必須となる。
【００４２】
また、第１実施形態のニアアイディスプレイにおいては、コントロールユニット１４からのサイドアーム１３の繰り出し量の調整を電動化してもよい（すなわち、モータによって駆動されるよう構成してもよい。）。その場合、モータは、操作釦１４ｓなどから入力されたユーザＵの指示に従って駆動される。また、モータの制御によって繰り出し量を自在に固定することができるので、ストッパーは非必須となる。
【００４３】
［第２実施形態］
以下、図９、図１０を参照して本発明の第２実施形態について説明する。
本実施形態は、ニアアイディスプレイの実施形態である。ここでは、第１実施形態のニアアイディスプレイとの相違点についてのみ説明する。
先ず、主な相違点について説明する。
【００４４】
図９に示すとおり、本実施形態のニアアイディスプレイのディスプレイ部１６には、ニアアイディスプレイが退避状態にあるか否かを検出するセンサ４０が設けられている。
センサ４０は、フロントユニット１６ＢがユーザＵの視野外に退避されているとき（図４に示した状態のとき）にのみ信号を生成する。センサ４０は、それ以外の状態のときに（図１に示した状態のときなど）は信号を生成しない。
【００４５】
センサ４０の取り付け箇所は、サイドユニット１６Ａの左側面である。この位置に取り付けられたセンサ４０は、フロントユニット１６Ｂの回動角度が２７０°になったときにのみ信号を生成する。
なお、センサ４０は、同様の機能を有しているのであれば、ディスプレイ部１６の他の箇所（フロントユニット１６Ｂの前面など）に設けられてもよい。
【００４６】
このセンサ４０からの出力信号は、図１０に示すとおり、コントロールユニット１４の内部に取り込まれる。
次に、ニアアイディスプレイの制御系の構成及び基本動作について説明する。
図１０に示すとおり、コントロールユニット１４の内部には、主制御部１４ａ、インタフェース回路１４ｄ，１４ｄ’、メモリ１４ｂ、主電源１４Ｐなどが備えられる。
【００４７】
主制御部１４ａ，インタフェース回路１４ｄ，１４ｄ’、メモリ１４ｂは、主電源１４Ｐから供給される電力によって動作する。
センサ４０からの出力信号は、操作釦１４ｓからの出力信号と共に、インタフェース回路１４ｄ’を介して主制御部１４ａに入力される。
一方、サイドユニット１６Ａの内部には、センサ４０、レンズ１６Ａ２、表示素子１６Ａ１の他に、制御部１６ａ、処理回路１６ｂ、電源１６Ｐなどが備えられる。電源１６Ｐの電力は、コントロールユニット１４内の主電源１４Ｐから供給される。
【００４８】
制御部１６ａ、処理回路１６ｂは、電源１６Ｐから供給される電力によって動作する。
但し、コントロールユニット１４に接続されたセンサ４０は、コントロールユニット１４の側の主電源１４Ｐの電力によって動作する。
コントロールユニット１４の主制御部１４ａは、センサ４０からの出力信号、及び操作釦１４ｓからの出力信号に従って動作する（メモリ１４ｂはこの動作に用いられる。）。
【００４９】
コントロールユニット１４の主制御部１４ａは、サイドユニット１６Ａの制御部１６ａと通信し、その制御部１６ａ経由でサイドユニット１６Ａの各部を制御する。
外部機器からの映像信号は、コントロールユニット１４のインタフェース回路１４ｄ、及び主制御部１４ａを介してサイドユニット１６Ａの制御部１６ａに入力される。
制御部１６ａは、映像信号を、処理回路１６ｂを介して表示素子１６Ａ１に入力する。
【００５０】
次に、ニアアイディスプレイの制御系の特徴動作について説明する。
主制御部１４ａは、センサ４０の出力信号を監視し、ニアアイディスプレイが退避状態にあるか否かを監視する。
そして、退避状態にある期間には、主電源１４Ｐから電源１６Ｐへの電力供給を停止する。また、退避状態でなくなると、主電源１４Ｐから電源１６Ｐへの電力供給を再開する。
【００５１】
以上の動作は、主電源１４Ｐがオンされている限り、繰り返される。
次に、ニアアイディスプレイの効果について説明する。
主制御部１４ａの上記した動作により、ユーザＵがニアアイディスプレイを図４に示すように退避状態にセットすると、表示素子１６Ａ１がオフされる。また、ユーザＵがニアアイディスプレイを図１に示すように観察状態にセットすると、表示素子１６Ａ１がオンされる。つまり、表示素子１６Ａ１は、ニアアイディスプレイが退避状態である限り自動的にオフされる。
【００５２】
したがって、本実施形態のニアアイディスプレイは、省電力化される。
［第３実施形態］
以下、図１１を参照して本発明の第３実施形態について説明する。
本実施形態は、ニアアイディスプレイの実施形態である。ここでは、第２実施形態のニアアイディスプレイとの相違点についてのみ説明する。
【００５３】
先ず、主な相違点について説明する。
図１１に示すとおり、本実施形態のニアアイディスプレイにおいては、センサ４０が省略され、その代わりに、回動機構１７が電動化される。
つまり、サイドユニット１６Ａに、回動機構１７を駆動するモータ５０、モータ５０を駆動する駆動回路５１が備えられる。駆動回路５１は、制御部１６ａによって制御される。
【００５４】
なお、電動化により、回動機構１７のストッパー（前述）は非必須となる。
次に、ニアアイディスプレイの制御系の特徴動作について説明する。
ユーザＵは、ニアアイディスプレイが図１に示した観察状態にあるときに、図４に示した退避状態にセットするよう操作釦１４ｓを介してニアアイディスプレイに対し指示することができる。
【００５５】
コントロールユニット１４内の主制御部１４ａは、操作釦１４ｓを介してその指示を認識すると、サイドユニット１６Ａ内の制御部１６ａ経由で駆動回路５１を駆動する。
駆動回路５１は、モータ５０に対し所定量の駆動信号を与え、モータ５０は、回動機構１７を所定量だけ駆動する。
この所定量は、フロントユニット１６Ｂが図３の矢印の方向へ２７０°だけ回動するのに必要な駆動量である。
【００５６】
その結果、ニアアイディスプレイは、図４に示す退避状態にセットされる。
よって、ユーザＵは、操作釦１４ｓを操作するだけで、ニアアイディスプレイを退避状態にセットすることができる。
また、この駆動のタイミングで、主制御部１４ａは、主電源１４Ｐから電源１６Ｐへの電力供給を停止する。
【００５７】
よって、退避状態では、表示素子１６Ａ１が自動的にオフされる。
また、ユーザＵは、ニアアイディスプレイが図４に示した退避状態にあるときに、図１に示した観察状態にセットするよう操作釦１４ｓを介してニアアイディスプレイに対し指示することができる。
コントロールユニット１４内の主制御部１４ａは、操作釦１４ｓを介してその指示を認識すると、サイドユニット１６Ａ内の制御部１６ａ経由で駆動回路５１を駆動する。
【００５８】
駆動回路５１は、モータ５０に対し所定量の駆動信号を与え、モータ５０は、回動機構１７を所定量だけ駆動する。
この所定量は、フロントユニット１６Ｂが図３の矢印の反対方向へ２７０°だけ回動するのに必要な駆動量である。
その結果、ニアアイディスプレイは、図１に示す観察状態にセットされる。
【００５９】
よって、ユーザＵは、操作釦１４ｓを操作するだけで、ニアアイディスプレイを観察状態にセットすることができる。
また、この駆動のタイミングで、主制御部１４ａは、主電源１４Ｐから電源１６Ｐへの電力供給を再開する。
よって、観察状態では、表示素子１６Ａ１が自動的にオンされる。
【００６０】
以上、本実施形態のニアアイディスプレイは、第１実施形態のニアアイディスプレイの回動機構１７を電動化したものである。そして、その電動化のために搭載したモータ５０，駆動回路５１を利用して、第２実施形態のニアアイディスプレイと同様の省電力化を図ったものである。
［第３実施形態の変形例］
コントロールユニット１４からのサイドアーム１３の繰り出し量の調整を電動化し、ニアアイディスプレイが図４に示す退避状態になったときに、その繰り出し量を自動的に最小にする制御を行ってもよい。
【００６１】
このようにすれば、退避状態になると同時に、ディスプレイ部１６とコントロールユニット１４とが図５に示すとおり小さな空間に自動的に収まる。
【図面の簡単な説明】
【００６２】
【図１】観察状態における第１実施形態のニアアイディスプレイの外観図である。
【図２】観察状態における第１実施形態のニアアイディスプレイの概略断面図である（水平面で切断した概略断面図）。
【図３】図１の部分拡大図である。（ａ）は観察状態を示し、（ｂ）は退避状態を示す。
【図４】退避状態における第１実施形態のニアアイディスプレイの外観図である。
【図５】退避状態、かつサイドアーム１３の繰り出し量が短縮された状態における第１実施形態のニアアイディスプレイの外観図である。
【図６】第１実施形態のニアアイディスプレイの変形例（ディスプレイ部１６の姿勢が異なる変形例）の概略断面図である（前後方向の直線と鉛直方向の直線とを含む面で切断した概略断面図）。
【図７】第１実施形態のニアアイディスプレイの変形例（鼻当てが設けられた変形例）の概略断面図である（前後方向の直線と鉛直方向の直線とを含む面で切断した概略断面図）。
【図８】第１実施形態のニアアイディスプレイの変形例（シースルー型の変形例）の外観図である。（ａ）は観察状態を示し、（ｂ）は退避状態を示す。
【図９】観察状態における第２実施形態のニアアイディスプレイの外観図である。
【図１０】第２実施形態のニアアイディスプレイの制御系を示すブロック図である。
【図１１】第３実施形態のニアアイディスプレイの制御系を示すブロック図である。
【符号の説明】
【００６３】
１１Ｒ，１１Ｌ  ヘッドホン
１１Ｒ’，１１Ｌ’  装着部材
１２  リアアーム
１３  サイドアーム
１４  コントローラユニット
１４ｓ  操作釦
１４ａ  主制御部
１４ｂ  メモリ
１４ｄ，１４ｄ’  インタフェース回路
１４Ｐ  主電源
１６  ディスプレイ部
１６Ａ，３０Ａ  サイドユニット
１６Ｂ  フロントユニット
１６Ａ１  表示素子
１６Ａ２  レンズ
１６Ｂ１，１６Ｂ２  ミラー
１６ａ  制御部
１６ｂ  処理回路
１６Ｐ  電源
１７，３７  回動機構
１７Ｂ  軸部
１７Ａ  支持部
３０Ｂ  透明基板
３０Ｂ１  反射面
３０Ｃ  装着手段
４０  センサ
５０  モータ
５１  駆動回路
ＥＬ  観察眼
ＥＲ  非観察眼
Ｕ  ユーザ
Ｉ  表示画面
【図１】
2005192083.tif 000003
【図２】
2005192083.tif 000004
【図３】
2005192083.tif 000005
【図４】
2005192083.tif 000006
【図５】
2005192083.tif 000007
【図６】
2005192083.tif 000008
【図７】
2005192083.tif 000009
【図８】
2005192083.tif 000010
【図９】
2005192083.tif 000011
【図１０】
2005192083.tif 000012
【図１１】
2005192083.tif 000013